(57)【要約】【課題】建物の高さが高くなるのを極力抑えながら、建物に、収納空間と部屋空間とを効率よく配置することができる建物の設計方法および建物を提供する。【解決手段】第１層部が収納空間Ｋ1、第２層部と第３層部とが部屋空間Ｒ1、第４層部と第５層部とが部屋空間Ｒ2となっている第１建物構成体Ｂ1と、第１層部と第２層部とが部屋空間Ｒ3、第３層部が収納空間Ｋ2、第４層部と第５層部とが部屋空間Ｒ2となっている第２建物構成体Ｂ2と、第１層部と第２層部とが部屋空間Ｒ3、第３層部と第４層部とが部屋空間Ｒ4、第５層部が収納空間Ｋ3となっている第３建物構成体Ｂ3とのうちから、少なくとも２種類の建物構成体を選択し、これら選択した建物構成体をそれぞれの層の上下の位置を合わせて組み合わせて建物を設計する。【選択図】図３
2006070693.tif 000002
【特許請求の範囲】
【請求項１】
２．５層分の高さを有する建物を設計する建物の設計方法であって、
建物の図形を上下方向に０．５層ずつの５つの層に分け、下から順に第１層部、第２層部、第３層部、第４層部、第５層部としておき、
第１層部が収納空間となっており、第２層部と第３層部とが上下に連続した部屋空間となっており、第４層部と第５層部とが上下に連続した部屋空間となっている第１建物構成体の図形と、
第１層部と第２層部とが上下に連続した部屋空間となっており、第３層部が収納空間となっており、第４層部と第５層部とが上下に連続した部屋空間となっている第２建物構成体の図形と、
第１層部と第２層部とが上下に連続した部屋空間となっており、第３層部と第４層部とが上下に連続した部屋空間となっており、第５層部が収納空間となっている第３建物構成体の図形とを建物設計装置に記憶させておき、
前記建物設計装置が、その画面に表示された前記第１〜第３建物構成体の図形のうちから、少なくとも２種類の建物構成体の図形を選択し、これら選択した建物構成体の図形を、それぞれの層の上下の位置を合わせて組み合わせることを特徴とする建物の設計方法。
【請求項２】
請求項１に記載の建物の設計方法において、
第１層部と第２層部とが上下に連続した部屋空間となっており、第３層部と第４層部とが上下に連続した部屋空間となっている第４建物構成体の図形と、
第１層部と第２層部と第３層部とが上下に連続した部屋空間となっており、第４層部と第５層部とが上下に連続した部屋空間となっている第５建物構成体の図形と、
第１層部と第２層部とが上下に連続した部屋空間となっており、第３層部と第４層部と第５層部とが上下に連続した部屋空間となっている第６建物構成体の図形とを建物設計装置に記憶させておき、
前記建物設計装置が、その画面に表示された第１〜第３建物構成体の図形うちから、少なくとも２種類の建物構成体の図形を選択するとともに、前記建物設計装置の画面に表示された第４〜第６建物構成体の図形のうちから、少なくとも１種類の建物構成体の図形を選択し、これら選択した建物構成体の図形を、それぞれの層の上下の位置を合わせて組み合わせることを特徴とする建物の設計方法。
【請求項３】
請求項１または２に記載の建物の設計方法において、
第１〜第５層部のうちの少なくとも一つの層部に階段が設けられた階段付き建物構成体の図形を建物設計装置に記憶させておき、
前記建物設計装置が、選択した建物構成体の図形および前記建物設計装置の画面に表示された階段付き建物構成体の図形を、それぞれの層の上下の位置を合わせて組み合わせることを特徴とする建物の設計方法。
【請求項４】
請求項３に記載の建物の設計方法において、
前記階段付き建物構成体の図形の第１〜第５層部のうちの少なくとも一つの層部に収納空間が設けられていることを特徴とする建物の設計方法。
【請求項５】
２．５層分の高さを有する建物であって、
建物を上下方向に０．５層ずつの５つの層に分け、下から順に第１層部、第２層部、第３層部、第４層部、第５層部としておき、
第１層部が収納空間となっており、第２層部と第３層部とが上下に連続した部屋空間となっており、第４層部と第５層部とが上下に連続した部屋空間となっている第１建物構成体と、
第１層部と第２層部とが上下に連続した部屋空間となっており、第３層部が収納空間となっており、第４層部と第５層部とが上下に連続した部屋空間となっている第２建物構成体と、
第１層部と第２層部とが上下に連続した部屋空間となっており、第３層部と第４層部とが上下に連続した部屋空間となっており、第５層部が収納空間となっている第３建物構成体とのうちの少なくとも２種類の建物構成体を備え、これら建物構成体はそれぞれの層の上下の位置を合わせて組み合わされていることを特徴とする建物。
【請求項６】
請求項５に記載の建物において、
第１層部と第２層部とが上下に連続した部屋空間となっており、第３層部と第４層部とが上下に連続した部屋空間となっている第４建物構成体と、
第１層部と第２層部と第３層部とが上下に連続した部屋空間となっており、第４層部と第５層部とが上下に連続した部屋空間となっている第５建物構成体と、
第１層部と第２層部とが上下に連続した部屋空間となっており、第３層部と第４層部と第５層部とが上下に連続した部屋空間となっている第６建物構成体とのうちの少なくとも１種類の建物構成体をさらに備え、
これら建物構成体および前記第１〜第３建物構成体のうちの少なくとも２種類の建物構成体はそれぞれの層の上下の位置を合わせて組み合わされていることを特徴とする建物。
【請求項７】
請求項５または６に記載の建物において、
第１〜第５層部のうちの少なくとも一つの層部に階段が設けられた階段付き建物構成体と、前記建物構成体とは、それぞれの層の上下の位置を合わせて組み合わされていることを特徴とする建物。
【請求項８】
請求項７に記載の建物において、
前記階段付き建物構成体の第１〜第５層部のうちの少なくとも一つの層部に収納空間が設けられていることを特徴とする建物。
【請求項９】
請求項５〜８のいずれか一項に記載の建物において、
前記各建物構成体は、複数の建築用パネルによって構成されており、
前記建築用パネルは、高さが１層分または０．５層分であり、幅が基本モジュールの整数倍または整数分の１であることを特徴とする建物。
【請求項１０】
請求項５〜８のいずれか一項に記載の建物において、
前記各建物構成体は、１以上の直方体状の建物ユニットによって構成されており、
前記建物ユニットは、高さが１層分または０．５層分であり、平面視における縦横の長さがそれぞれ基本モジュールの整数倍または整数分の１であることを特徴とする建物。
【発明の詳細な説明】
【技術分野】
【０００１】
本発明は、住宅等の建物の設計方法および建物に関する。
【背景技術】
【０００２】
従来、住宅等において物品を保管、収容する場所として、建物内部に押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、内部により大きな収納スペースを備えた建物が望まれている。
【０００３】
内部に収納スペースを備えた建物の一例として、特許文献１に記載のものが知られている。この特許文献１に記載の建物では、特定フロアと、この特定フロアの直上に位置する直上フロアとを有する建物であって、特定フロアおよび直上フロアは、それらの一部に設けられた中間床と、この中間床の下側に形成された中間床下側空間と、当該中間床の上側に形成された中間床上側空間とを備え、特定フロアの中間床上側空間の少なくとも一部と、直上フロアの中間床下側空間の少なくとも一部とが連通された吹き抜け空間が構成されており、特定フロアの中間床下側空間と、直上フロアの中間床下側空間のうち、吹き抜け空間を構成しない中間床下側空間とは、各々収納空間とされている。
【特許文献１】特開２００４−４４２１０号公報
【発明の開示】
【発明が解決しようとする課題】
【０００４】
ところで、上記のような建物では、収納空間が１階に一つと、２階に一つの合計２つ設けられているが、建物の高さが高くなるのを極力抑えながら、建物に、上記のような収納空間を中間床や吹抜け空間や他の部屋との関係を考慮しつつ、効率よく置するのは容易ではない。つまり、通常建物においては、平面的な部屋の配置、つまり平面プランを設計することは、比較的容易であるが、立体的に部屋の配置を考慮してプランを設計するのは、中間床や吹抜け空間をどこに配置するかを検討するとともに、収納空間の配置を検討する必要があるので、建物の高さが高くなるのを極力抑えながら、収納空間を中間床や吹抜け空間や他の部屋との関係を考慮しつつ効率よく配置するのは容易ではないのである。
【０００５】
本発明は上記事情に鑑みてなされたものであり、建物の高さが高くなるのを極力抑えながら、建物に、収納空間と部屋空間とを効率よく配置することができる建物の設計方法および建物を提供することを課題としている。
【課題を解決するための手段】
【０００６】
上記課題を解決するために、請求項１に記載の発明は、例えば図１〜図３に示すように、２．５層分の高さを有する建物を設計する建物の設計方法であって、
建物の図形を上下方向に０．５層ずつの５つの層に分け、下から順に第１層部、第２層部、第３層部、第４層部、第５層部としておき、
第１層部が収納空間Ｋ1となっており、第２層部と第３層部とが上下に連続した部屋空間Ｒ1となっており、第４層部と第５層部とが上下に連続した部屋空間Ｒ2となっている第１建物構成体Ｂ1の図形と、
第１層部と第２層部とが上下に連続した部屋空間Ｒ3となっており、第３層部が収納空間Ｋ2となっており、第４層部と第５層部とが上下に連続した部屋空間Ｒ2となっている第２建物構成体Ｂ2の図形と、
第１層部と第２層部とが上下に連続した部屋空間Ｒ3となっており、第３層部と第４層部とが上下に連続した部屋空間Ｒ4となっており、第５層部が収納空間Ｋ3となっている第３建物構成体Ｂ3の図形とを建物設計装置に記憶させておき、
前記建物設計装置が、その画面に表示された第１〜第３建物構成体の図形うちから、少なくとも２種類の建物構成体の図形を選択し、これら選択した建物構成体の図形を、それぞれの層の上下の位置を合わせて組み合わせることを特徴とする。
【０００７】
なお、建物の図形は、建物を側面や正面から見た図形や、それらを簡単に模式化して描いた図形等が好適に使用されるが、斜視図のような図形を採用してもよい。
また、建物設計装置が少なくとも２種類の建物構成体の図形を選択する場合、画面上に表示された第１〜第３建物構成体の図形のうち少なくとも２種類を指定することを設計者に促し、設計者が所望の図形を指定すると、これを建物設計装置が認識して所望の図形を選択する。
また、建物設計装置が、建物構成体の図形をそれぞれの層の上下の位置を合わせて組み合わせる場合、選択した図形を設計者が建物設計装置の画面上において所定の位置に移動させ、先に移動させておいた図形の隣りに配置すると、これを建物設計装置が認識して建物構成体の図形を、それぞれの層の上下の位置を合わせて組み合わせる。
【０００８】
また、請求項５に記載の発明は、２．５層分の高さを有する建物であって、
建物を上下方向に０．５層ずつの５つの層に分け、下から順に第１層部、第２層部、第３層部、第４層部、第５層部としておき、
第１層部が収納空間Ｋ1となっており、第２層部と第３層部とが上下に連続した部屋空間Ｒ1となっており、第４層部と第５層部とが上下に連続した部屋空間Ｒ2となっている第１建物構成体Ｂ1と、
第１層部と第２層部とが上下に連続した部屋空間Ｒ3となっており、第３層部が収納空間Ｋ2となっており、第４層部と第５層部とが上下に連続した部屋空間Ｒ2となっている第２建物構成体Ｂ2と、
第１層部と第２層部とが上下に連続した部屋空間Ｒ3となっており、第３層部と第４層部とが上下に連続した部屋空間Ｒ4となっており、第５層部が収納空間Ｋ3となっている第３建物構成体Ｂ3とのうちの少なくとも２種類の建物構成体を備え、
これら建物構成体はそれぞれの層の上下の位置を合わせて組み合わされていることを特徴とする。
【０００９】
ここで、２．５層分の高さとは、建物の２．５階分の高さのことを意味する。したがって、０．５層分の高さは、部屋の高さとしては不十分であり、この０．５層の部分に部屋を設けることはできない。但し、建物の頂部の０．５層部、つまり、第５層部には、ルーフバルコニーを設けることもできる。
【００１０】
請求項１および５に記載の発明によれば、第１建物構成体Ｂ1と第２建物構成Ｂ2とをそれぞれの層の上下の位置を合わせて組み合わせた場合、建物の第１層部と第３層部とにそれぞれ０．５層分の高さの収納空間Ｋ1，Ｋ2を設けることができる。また、第１層部と第２層部とに１層分の高さの部屋空間Ｒ3、第２層部と第３層部とに１層分の高さの部屋空間Ｒ1、第４層部と第５層部とに１層分の高さの部屋空間Ｒ2をそれぞれ設けることができる。さらに、第１層部に設けられている収納空間Ｋ1の床と、第１層部と第２層部とに設けられている部屋空間Ｒ3の床とが同高さ位置にあるので、この部屋空間Ｒ3から収納空間Ｋ1に容易に出入りでき、収納空間Ｋ1の使い勝手がよい。また、第３層部に設けられている収納空間Ｋ2の床が、第２層部と第３層部とに設けられている部屋空間Ｒ1の床より０．５層分だけ高いので、この部屋空間Ｒ1から収納空間Ｋ2に容易に物を出し入れでき、収納空間の使い勝手がよい。
【００１１】
第１建物構成体Ｂ1と第３建物構成体Ｂ3とをそれぞれの層の上下の位置を合わせて組み合わせた場合、第１層部と第５層部にそれぞれ０．５層分の高さの収納空間Ｋ1，Ｋ3を設けることができる。また、第１層部と第２層部とに１層分の高さの部屋空間Ｒ3、第２層部と第３層部とに１層分の高さの部屋空間Ｒ1、第３層部と第４層部とに１層分の高さの部屋空間Ｒ4、第４層部と第５層部とに１層分の高さの部屋空間Ｒ2をそれぞれ設けることができる。さらに、第１層部に設けられている収納空間Ｋ1の床と、第１層部と第２層部とに設けられている部屋空間Ｒ3の床とが同高さ位置にあるので、この部屋空間Ｒ3から収納空間Ｋ1に容易に出入りでき、収納空間Ｋ1の使い勝手がよい。また、第５層部に設けられている収納空間Ｋ3の床が、第４層部と第５層部とに設けられている部屋空間Ｒ2の床より０．５層分だけ高いので、この部屋空間Ｒ2から収納空間Ｋ3に容易に物を出し入れでき、収納空間の使い勝手がよい。
【００１２】
第２空間構成体Ｂ2と第３建物構成体Ｂ3とをそれぞれの層の上下の位置を合わせて組み合わせた場合、第３層部と第５層部とにそれぞれ０．５層分の高さの収納空間Ｋ2，Ｋ3を設けることができる。また、第１層部と第２層部とに１層分の高さの部屋空間Ｒ3、第３層部と第４層部とに１層分の高さの部屋空間Ｒ4、第４層部と第５層部とに１層分の高さの部屋空間Ｒ5をそれぞれ設けることができる。さらに、第３層部に設けられている収納空間Ｋ2の床と、第３層部と第４層部とに設けられている部屋空間Ｒ4の床とが同高さ位置にあるので、この部屋空間Ｒ4から収納空間Ｋ2に容易に出入りでき、収納空間Ｋ2の使い勝手がよい。また、第５層部に設けられている収納空間Ｋ3の床が、第４層部と第５層部とに設けられている部屋空間Ｒ2の床より０．５層分だけ高いので、この部屋空間Ｒ2から収納空間Ｋ3に容易に物を出し入れでき、収納空間の使い勝手がよい。
【００１３】
第１建物構成体Ｂ1、第２建物構成Ｂ2および第３建物構成体Ｂ3をそれぞれの層の上下の位置を合わせて組み合わせた場合、建物の第１層部、第３層部、第５層部にそれぞれ０．５層分の高さの収納空間Ｋ1，Ｋ2，Ｋ3を設けることができる。また、第１層部と第２層部とに１層分の高さの部屋空間Ｒ3、第２層部と第３層部とに１層分の高さの部屋空間Ｒ1、第３層部と第４層部とに１層分の高さの部屋空間Ｒ4、第４層部と第５層部とに１層分の高さの部屋空間Ｒ2をそれぞれ設けることができる。さらに、第１層部に設けられている収納空間Ｋ1の床と、第１層部と第２層部とに設けられている部屋空間Ｒ3の床とが同高さ位置にあるので、この部屋空間Ｒ3から収納空間Ｋ1に容易に出入りでき、収納空間Ｋ1の使い勝手がよい。また、第３層部に設けられている収納空間Ｋ2の床と、第３層部と第４層部とに設けられている部屋空間Ｒ4の床とが同高さ位置にあるので、この部屋空間Ｒ4から収納空間Ｋ2に容易に出入りでき、収納空間Ｋ2の使い勝手がよい。さらに、第５層部に設けられている収納空間Ｋ3の床が、第４層部と第５層部とに設けられている部屋空間Ｒ2の床より０．５層分だけ高いので、この部屋空間Ｒ2から収納空間Ｋ3に容易に物を出し入れでき、収納空間Ｋ3の使い勝手がよい。
【００１４】
このように、第１〜第３建物構成体のうちから、少なくとも２種類の建物構成体を選択し、これら選択した建物構成体をそれぞれの層の上下の位置を合わせて組み合わせることによって、建物の高さが高くなるのを極力抑えながら、建物に、収納空間と部屋空間とを効率よく配置することができる。
【００１５】
請求項２に記載の発明は、請求項１に記載の建物の設計方法において、
第１層部と第２層部とが上下に連続した部屋空間Ｒ3となっており、第３層部と第４層部とが上下に連続した部屋空間Ｒ4となっている第４建物構成体Ａの図形と、
第１層部と第２層部と第３層部とが上下に連続した部屋空間Ｒ5となっており、第４層部と第５層部とが上下に連続した部屋空間Ｒ2となっている第５建物構成体Ｃ1の図形と、
第１層部と第２層部とが上下に連続した部屋空間Ｒ3となっており、第３層部と第４層部と第５層部とが上下に連続した部屋空間Ｒ6となっている第６建物構成体Ｃ2の図形とを建物設計装置に記憶させておき、
前記建物設計装置が、その画面に表示された第１〜第３建物構成体の図形のうちから、少なくとも２種類の建物構成体の図形を選択するとともに、前記建物設計装置の画面に表示された第４〜第６建物構成体の図形うちから、少なくとも１種類の建物構成体の図形を選択し、これら選択した建物構成体の図形を、それぞれの層の上下の位置を合わせて組み合わせることを特徴とする。
【００１６】
なお、建物設計装置が建物構成体の図形を選択する場合、画面上に表示された第１〜第３建物構成体や第４〜第６建物構成体の図形のうち少なくとも１種類または２種類を指定することを設計者に促し、設計者が所望の図形を指定すると、これを建物設計装置が認識して所望の図形を選択する。
また、建物設計装置が、建物構成体の図形をそれぞれの層の上下の位置を合わせて組み合わせる場合、選択した図形を設計者が建物設計装置の画面上において所定の位置に移動させ、先に移動させておいた図形の隣りに配置すると、これを建物設計装置が認識して建物構成体の図形を、それぞれの層の上下の位置を合わせて組み合わせる。
【００１７】
請求項６に記載の発明は、請求項５に記載の建物において、
第１層部と第２層部とが上下に連続した部屋空間Ｒ3となっており、第３層部と第４層部とが上下に連続した部屋空間Ｒ4となっている第４建物構成体Ａと、
第１層部と第２層部と第３層部とが上下に連続した部屋空間Ｒ5となっており、第４層部と第５層部とが上下に連続した部屋空間Ｒ2となっている第５建物構成体Ｃ1と、
第１層部と第２層部とが上下に連続した部屋空間Ｒ3となっており、第３層部と第４層部と第５層部とが上下に連続した部屋空間Ｒ6となっている第６建物構成体Ｃ2とのうちの少なくとも１種類の建物構成体をさらに備え、
これら建物構成体および前記第１〜第３建物構成体のうちの少なくとも２種類の建物構成体はそれぞれの層の上下の位置を合わせて組み合わされていることを特徴とする。
【００１８】
請求項２および６に記載の発明によれば、第１〜第３建物構成体のうちから、少なくとも２種類の建物構成体を選択し、これら選択した建物構成体をそれぞれの層の上下の位置を合わせて組み合わせることによって、建物の高さが高くなるのを極力抑えながら、建物に、収納空間と部屋空間とを効率よく配置することができる。そして、第４〜第６建物構成体のうちから、少なくとも１種類の建物構成体を選択し、これら選択した建物構成体をそれぞれの層の上下の位置を合わせて組み合わせることによって、上下に連続する１層分の高さを有する部屋空間を水平方向に広げる、または、複数設けることができ、部屋空間に配置する各部屋のレイアウトの自由度が高まる。
また、第３層部に設けられている収納空間の床と、部屋空間の床が同高さ位置となるように、第４または第６建物構成体を組み合わせことによって、部屋空間から収納空間に容易に出入りでき、収納空間の使い勝手がよい。
【００１９】
請求項３に記載の発明は、請求項１または２に記載の建物の設計方法において、
第１〜第５層部のうちの少なくとも一つの層部に階段ｔが設けられた階段付き建物構成体Ｓ1〜Ｓ12の図形を建物設計装置に記憶させておき、
前記建物設計装置が、選択した建物構成体の図形および前記建物設計装置の画面に表示された階段付き建物構成体の図形をそれぞれの層の上下の位置を合わせて組み合わせることを特徴とする。
【００２０】
また、建物設計装置が、建物構成体の図形をそれぞれの層の上下の位置を合わせて組み合わせる場合、選択した図形を設計者が建物設計装置の画面上において所定の位置に移動させ、先に移動させておいた図形の隣りに配置すると、これを建物設計装置が認識して建物構成体の図形を、それぞれの層の上下の位置を合わせて組み合わせる。
【００２１】
請求項７に記載の発明は、請求項５または６に記載の建物において、
第１〜第５層部のうちの少なくとも一つの層部に階段ｔが設けられた階段付き建物構成体Ｓ1〜Ｓ12と、前記建物構成体とは、それぞれの層の上下の位置を合わせて組み合わされていることを特徴とする。
【００２２】
請求項３および７に記載の発明によれば、建物が上下方向に０．５層ずつの５つの層に分けられており、少なくとも一つの層部の床が部屋空間の床となるが、少なくとも一つの層部に階段が設けられた階段付き建物構成体を組み合わせることによって、上下に隣合う部屋空間の床間に階段を設けることができる。
【００２３】
請求項４に記載の発明は、請求項３に記載の建物の設計方法において、
前記階段付き建物構成体Ｓ2，Ｓ3，Ｓ7，Ｓ8，Ｓ11の図形の第１〜第５層部のうちの少なくとも一つの層部に収納空間が設けられていることを特徴とする。
【００２４】
請求項８に記載の発明は、請求項７に記載の建物において、前記階段付き建物構成体Ｓ2，Ｓ3，Ｓ7，Ｓ8，Ｓ11の第１〜第５層部のうちの少なくとも一つの層部に収納空間が設けられていることを特徴とする。
【００２５】
請求項４および８に記載の発明によれば、少なくとも一つの層部に収納空間が設けられた階段付き建物構成体を組み合わせることによって、この収納空間と、第１〜第３建物構成体が備える収納空間とを連続させることができ、よって、収納空間を広くすることができる。
【００２６】
請求項９に記載の発明は、請求項５〜８のいずれか一項に記載の建物において、
前記各建物構成体は、複数の建築用パネルによって構成されており、
前記建築用パネルは、高さが１層分または０．５層分であり、幅が基本モジュールの整数倍または整数分の１であることを特徴とする。
【００２７】
ここで、モジュールとは、建築のあらゆる部分を一定の大きさの倍数関係に整える際の基準となる寸法をいい、特に限定されるものではないが、例えば９００ｍｍ，９１０ｍｍ，１０００ｍｍ等の寸法がある。また、例えば、基本となる基本モジュールを９１０ｍｍとすると、ハーフモジュールは４４５ｍｍ、クォーターモジュールは２２７．５ｍｍとなる。
【００２８】
請求項９に記載の発明によれば、各建物構成体が、複数の建築用パネルによって構成されており、建築用パネルは、高さが１層分または０．５層分であり、幅が基本モジュールの整数倍または整数分の１であるので、２．５層分の高さを有する建物を建築用パネルによって構築でき、また、各建物をその幅を基本モジュールの整数倍または整数分の１にして構築できる。
【００２９】
請求項１０に記載の発明は、請求項５〜８のいずれか一項に記載の建物において、
前記各建物構成体は、１以上の直方体状の建物ユニットによって構成されており、
前記建物ユニットは、高さが１層分または０．５層分であり、平面視における縦横の長さがそれぞれ基本モジュールの整数倍または整数分の１であることを特徴とする。
【００３０】
ここで、建物ユニットは、鉄骨によって構成された柱や梁を直方体状に組み立てた構造のユニットであってもよいし、建築用パネルを直方体状に組み立てた構造のユニットでああってもよい。
【００３１】
請求項１０に記載の発明によれば、各建物構成体が、１以上の直方体状の建物ユニットによって構成されており、建物ユニットは、高さが１層分または０．５層分であり、平面視における縦横の長さがそれぞれ基本モジュールの整数倍または整数分の１であるので、２．５層分の高さを有する建物を建築用ユニットによって構築でき、また、各建物をその平面視における縦横の長さをそれぞれ基本モジュールの整数倍または整数分の１にして構築できる。
【発明の効果】
【００３２】
本発明によれば、第１〜第３建物構成体のうちから、少なくとも２種類の建物構成体を選択し、これら選択した建物構成体をそれぞれの層の上下の位置を合わせて組み合わせることによって、建物の高さが高くなるのを極力抑えながら、建物に、収納空間と部屋空間とを効率よく配置することができる。
【発明を実施するための最良の形態】
【００３３】
以下、図面を参照して本発明の実施の形態について説明する。
図１は、本発明に係る建物の設計方法の説明するためのものであり、建物構成体を模式的に示す図である。
この図に示すように、本実施の形態では、建物は２．５層分の高さを有しており、上下方向に０．５層ずつの５つの層に分けられている。そして、下から順に第１層部、第２層部、第３層部、第４層部、第５層部となっている。１層分の高さが、通常の住宅等の建物の１階分の高さとほぼ等しくなっている。
【００３４】
そして、本実施の形態では、以下の建物設計装置によって建物を設計する。
建物設計装置は、以下のように構成されている。
すなわち、建物設計装置は、第１建物構成体Ｂ１の図形を記憶する第１建物構成体図形記憶部と、第２建物構成体Ｂ２の図形を記憶する第２建物構成体図形記憶部と、第３建物構成体Ｂ３の図形を記憶する第３建物構成体図形記憶部と、前記第１〜第３建物構成体図形記憶部から、少なくとも２種類の建物構成体の図形を選択する選択するとともにこの選択された建物構成体の図形を、建物構成体のそれぞれの層の上下の位置を合わせて組み合す組合せ操作手段とを備えている。
【００３５】
また、前記建物設計装置は、第４建物構成体Ａの図形を記憶する第４建物構成体図形記憶部と、第５建物構成体Ｃ１の図形を記憶する第５建物構成体図形記憶部と、第６建物構成体Ｃ２の図形を記憶する第６建物構成体図形記憶部と、第７建物構成体Ｃ３の図形を記憶する第７建物構成体図形記憶部とを備えている。
そして、前記組合せ操作手段は、前記第４〜第７建物構成体図形記憶部のうちから、少なくとも１種類の建物構成体の図形を選択し、これら選択した建物構成体の図形を、建物構成体のそれぞれの層の上下の位置を合わせて組み合わせる機能を有している。
【００３６】
さらに、前記建物設計装置は、第１〜第５層部のうちの少なくとも一つの層部に階段が設けられた階段付き建物構成体Ｓ１〜Ｓ１２の図形を記憶する階段付き建物構成体図形記憶部を備えている。
そして、前記組合せ手段は、選択した建物構成体の図形および階段付き建物構成体の図形を、建物構成体や階段付き建物構成体のそれぞれの層の上下の位置を合わせて組み合わせる機能を有している。
【００３７】
第１建物構成体B1は、第１層部が収納空間K1となっており、第２層部と第３層部とが上下に連続した部屋空間R1となっており、第４層部と第５層部とが上下に連続した部屋空間R2となっている。
収納空間Ｋ1は、０．５層分の高さの空間であり、１階の床Ｆ1と１階の中間にある中間床ＭＦ1との間に設けられている。
部屋空間Ｒ1は、１層分の高さの空間であり、中間床ＭＦ1と２階の中間床ＭＦ2との間に設けられている。なお、中間床ＭＦ2は、２階の床Ｆ2の上方でかつ２階の中間に設けられた床である。
部屋空間Ｒ2は、１層分の高さの空間であり、中間床ＭＦ2と中間床ＭＦ3との間に設けられている。中間床ＭＦ3は、２階の天井位置にある床Ｆ3より上方に設けられた床である。
【００３８】
第２建物構成体Ｂ2は、第１層部と第２層部とが上下に連続した部屋空間Ｒ3となっており、第３層部が収納空間Ｋ2となっており、第４層部と第５層部とが上下に連続した部屋空間Ｒ2となっている。
収納空間Ｋ2は、０．５層分の高さの空間であり、２階の床Ｆ2と２階の中間床ＭＦ2との間に設けられている。
部屋空間Ｒ3は、１層分の高さの空間であり、１階の床Ｆ1と２階の床Ｆ2との間に設けられている。
【００３９】
第３建物構成体Ｂ3は、第１層部と第２層部とが上下に連続した部屋空間Ｒ3となっており、第３層部と第４層部とが上下に連続した部屋空間Ｒ4となっており、第５層部が収納空間Ｋ3となっている。
収納空間Ｋ3は、０．５層分の高さの空間であり、２階の天井位置にある床Ｆ3と中間床ＭＦ3との間に設けられている。
部屋空間Ｒ4は、１層分の高さの空間であり、２階の床Ｆ2と２階の天井位置にある床Ｆ3との間に設けられている。
【００４０】
また、本実施の形態では、第４建物構成体Ａ、第５建物構成体Ｃ1、第６建物構成体Ｃ2、第７建物構成体Ｃ3の４種類の建物構成体を用意しておく。
第４建物構成体Ａは、第１層部と第２層部とが上下に連続した部屋空間Ｒ3となっており、第３層部と第４層部とが上下に連続した部屋空間Ｒ4となっている。
【００４１】
第５建物構成体Ｃ1は、第１層部と第２層部と第３層部とが上下に連続した部屋空間Ｒ5となっており、第４層部と第５層部とが上下に連続した部屋空間Ｒ2となっている。
部屋空間Ｒ5は、１．５層分の高さの空間であり、１階の床Ｆ1と２階の中間床ＭＦ2との間に設けられている。
【００４２】
第６建物構成体Ｃ2は、第１層部と第２層部とが上下に連続した部屋空間Ｒ3となっており、第３層部と第４層部と第５層部とが上下に連続した部屋空間Ｒ6となっている。
部屋空間Ｒ6は、１．５層分の高さの空間であり、２階の床Ｆ２と中間床ＭＦ3との間に設けられている。
【００４３】
第７建物構成体Ｃ3は、第１層部がガレージＧＲとなっており、第２層部と第３層部とが上下に連続した部屋空間Ｒ1となっており、第４層部と第５層部とが上下に連続した部屋空間Ｒ2となっている。
ガレージＧＲは、０．５層分の高さの空間であり、１階の土間と１階の中間床ＭＦ1との間に設けられている。
【００４４】
なお、前記第１建物構成体Ｂ1〜第３建物構成体Ｂ3、第４建物構成体Ａ、第５建物構成体Ｃ1〜第７建物構成体Ｃ3は、模式的に現したものであるが、これらを実際の建物を構成する建物構成体とする場合は、それぞれ、床Ｆ1、中間床ＭＦ1、床Ｆ2、中間床ＭＦ2、床Ｆ3、中間床ＭＦ3等については、それぞれ平面的な形状、大きさは任意であり、それらの高さ方向の位置だけを図１に示すように設定する。
【００４５】
階段付き建物構成体Ｓ1〜Ｓ12は、第１〜第５層部のうちの少なくとも一つの層部に階段が設けられたものであり、階段、床、収納空間、部屋空間等を備えている。
階段付き建物構成体Ｓ1は、１階の床Ｆ1と中間床ＭＦ3とを備え、第１層部、第２層部、第３層部にそれぞれ階段tが設けられている。
階段付き建物構成体Ｓ2は、１階の床Ｆ1と、２階の天井位置にある床Ｆ3と、中間床ＭＦ3とを備え、第１層部および第２層部にそれぞれ階段tが設けられている。また、第５層部に収納空間Ｋ3を備えている。
階段付き建物構成体Ｓ3は、１階の床Ｆ1と、１階の中間床ＭＦ1と、中間床ＭＦ3とを備え、第２層部および第３層部にそれぞれ階段tが設けられている。また、第１層部に収納空間Ｋ1を備えている。
【００４６】
階段付き建物構成体Ｓ4は、１階の床Ｆ1と、２階の中間床ＭＦ2と、中間床ＭＦ3とを備え、第１層部に階段tが設けられている。また、第４層部と第５層部とに上下に連続した部屋空間Ｒ2が設けられている。
階段付き建物構成体Ｓ5は、１階の床Ｆ1と、２階の床Ｆ2と、中間床ＭＦ3とを備え、第３層部に階段tが設けられている。また、第１層部と第２層部とに上下に連続した部屋空間Ｒ3が設けられている。
階段付き建物構成体Ｓ6は、１階の床Ｆ1と２階の天井位置にある床Ｆ3とを備え、第１層部および第２層部にそれぞれ階段tが設けられている。
階段付き建物構成体Ｓ7は、１階の床Ｆ1と、２階の中間床ＭＦ2と、２階の天井位置にある床Ｆ3とを備え、第１層部に階段tが設けられている。また、第４層部には収納空間Ｋ4が設けられている。
【００４７】
階段付き建物構成体Ｓ8は、１階の床Ｆ1と、１階の中間床ＭＦ1と、２階の天井位置にある床Ｆ3とを備え、第２層部に階段tが設けられている。また、第１層部に収納空間Ｋ1が設けられている。
階段付き建物構成体Ｓ9は、１階の床Ｆ1と中間床ＭＦ3とを備え、第１層部〜第４層部のそれぞれに階段tが設けられている。
階段付き建物構成体Ｓ10は、１階床Ｆ1と、２階の中間床ＭＦ2と、中間床ＭＦ3とを備え、第４層部に階段tが設けられている。また、第１層部と第２層部と第３層部とに上下に連続する部屋空間Ｒ5が設けられている。
階段付き建物構成体Ｓ11は、１階の床Ｆ1と、１階の中間床ＭＦ2と、中間床ＭＦ3とを備え、第２層部〜第４層部のそれぞれに階段tが設けられている。また、第１層部に収納空間Ｋ1が設けられている。
階段付き建物構成体Ｓ12は、１階の床Ｆ1と、２階の床Ｆ2と、中間床ＭＦ3とを備え、第３層部および第４層部とにそれぞれ階段tが設けられている。また、第１層部と第２層部とに上下に連続する部屋空間Ｒ3が設けられている。
【００４８】
なお、前記階段付き建物構成体Ｓ1〜Ｓ12は、模式的に現したものであるが、これらを実際の建物を構成する階段付き建物構成体とする場合は、それぞれ、床Ｆ1、中間床ＭＦ1、床Ｆ2、中間床ＭＦ2、床Ｆ3、中間床ＭＦ3、階段ｔ等については、それぞれ平面的な形状、大きさは任意であり、それらの高さ方向の位置だけを図１に示すように設定する。
【００４９】
次に、前記建物設計装置によって建物を設計する方法と、建物の構築方法について説明する。
図１に示す第１建物構成体Ｂ1〜第３建物構成体Ｂ3の図形うちから、少なくとも２種類の建物構成体の図形を選択し、これら選択した建物構成体の図形をそれぞれの層の上下の位置を合わせて組み合わせる。図１は建物設計装置の画面に表示される。そして、画面上に表示された第１建物構成体Ｂ１〜第３建物構成体Ｂ３の図形のうち少なくとも２種類を指定することを設計者に促し、設計者が所望の図形を指定すると、これを建物設計装置が認識して所望の図形を選択する。なお、設計者が所望の図形を指定する場合、マウス等によってカーソルを画面上で動かして所望の図形上でクリックすることにより行う。
また、建物設計装置が、建物構成体Ｂ１〜Ｂ３の図形をそれぞれの層の上下の位置を合わせて組み合わせる場合、選択した図形を設計者が建物設計装置の画面上において所定の位置に移動させ、先に移動させておいた図形の隣りに配置すると、これを建物設計装置が認識して建物構成体の図形を、それぞれの層の上下の位置を合わせて組み合わせる。
なお、以下の説明では、「建物構成体」、「組合せ体」という表現は、建物の設計の場合、「建物構成体の図形」、「組合せ体の図形」のことを意味し、建物の構築方法の場合、そのままの意味とする。
例えば、図３に示すように、第１建物構成体Ｂ1〜第３建物構成体Ｂ3の建物構成体のを組合せて、組合せ体Ｂ123を構成したり、第１建物構成体Ｂ1と第２建物構成異体Ｂ2とを組合わせて、組合せ体Ｂ12を構成したり、第２建物構成体Ｂ2と第３建物構成体Ｂ3とを組合わせて、組合せ体Ｂ23を構成したり、第１建物構成体Ｂ1と第３建物構成体Ｂ3とを組合わせて、組合せ体Ｂ13を構成する。図３も建物設計装置の画面に表示される。この場合、図１に示す図形とともに表示するのが望ましい。
【００５０】
次に、第４建物構成体Ａ、第５建物構成体Ｃ1、第６建物構成体Ｃ2、第７建物構成体Ｃ3から、少なくとも１種類の建物構成体を選択し、これら選択した建物構成体をそれぞれの層の上下の位置を合わせて組み合わせる。
例えば、前記組合せ体123を構成したうえで、これに第４建物構成体Ａを、それぞれの層の上下の位置を合わせて組み合わせる。
次に、階段付き建物構成体Ｓ1〜Ｓ12のうちから、少なくとも１種類の階段付き建物構成体を選択して、前記第４建物構成体Ａが組み合わされた組合せ体123に、例えば、階段付き建物構成体Ｓ1を組合わせる。
これによって、組合せ体123に、第４建物構成体Ａと階段付き建物構成体Ｓ1とを組合わせた建物Ｔを設計できる。
また、建物設計装置ではなく、現場で実際の各建物構成体を上記のようにして組み合わせることによって、建物Ｔを構築できる。
【００５１】
このような、建物Ｔでは、１階と２階のそれぞれに０．５層分の高さの収納空間Ｋ1とＫ2を設けることができ、さらに、１階には第１層部と第２層部とに１層分の高さの部屋空間Ｒ3を設けることができ、２階には、第３層部と第４層部とに１層分の高さの部屋空間Ｒ4を設けることができる。また、収納空間Ｋ1およびＫ2には、それぞれ１階の床Ｆ1および２階の床Ｆ2、つまり１階の部屋空間Ｒ3および２階の部屋空間Ｒ4から出入りできるので、収納空間Ｋ1，Ｋ2の使い勝手がよくなる。
さらに、１階の収納空間Ｋ1上には、第２層部と第３層部とに１層分の高さの部屋空間Ｒ1を設けることができ、その上にも、第４層部と第５層部とに１層分の高さの部屋空間Ｒ2を設けることができる。加えて、収納空間Ｋ2上には、第４層部と第５層部とに１層分の高さの部屋空間Ｒ２を設けることができる。そして、第５層部に設けられている収納空間Ｋ3の床が、第４層部と第５層部とに設けられている部屋空間Ｒ２の床より０．５層分だけ高いので、この部屋空間Ｒ２から収納空間Ｋ3に容易に物を出し入れでき、収納空間Ｋ3の使い勝手がよい。
したがって、建物の高さが高くなるのを極力抑えながら、建物に、収納空間Ｋ1，Ｋ2，Ｋ3と部屋空間Ｒ1〜Ｒ8とを効率よく配置することができる。
【００５２】
また、第２建物構成体Ｂ2、第３建物構成体Ｂ3、第４建物構成体Ａを組合わせることによって、１階と２階にそれぞれ設けられた、上下に連続する１層分の高さを有する部屋空間Ｒ3，Ｒ4を水平方向に広げる、または、複数設けることができ、部屋空間に配置する各部屋のレイアウトの自由度が高まる。
また、階段付き建物構成体Ｃ1を組合わせたので、上下に隣り合う部屋空間Ｒ3，Ｒ1，Ｒ4，Ｒ2の床間に階段ｔを設けることができる。
【００５３】
なお、上記の実施の形態以外にも、上記と同様の設計方法によって、例えば、図４（ａ）〜図４（ｆ）に示すような建物を設計できる。
図４（ａ）に示す建物は、建物構成体Ｂ1，Ｂ2，Ｂ3，Ａと、階段付き建物構成体Ｓ1，Ｓ10とを組合わせてなるものである。
図４（ｂ）に示す建物は、建物構成体Ｂ2，Ｂ3と、階段付き建物構成体Ｓ2，Ｓ5とを組合わせてなるものである。
図４（ｃ）に示す建物は、建物構成体Ｂ1，Ｂ2，Ｂ3，Ｃ3と、階段付き建物構成体Ｓ3，Ｓ4とを組合わせてなるものである。
図４（ｄ）に示す建物は、建物構成体Ｂ2，Ｂ3，Ａと、階段付き建物構成体Ｓ11とを組合わせてなるものである。
図４（ｅ）に示す建物は、建物構成体Ｂ1，Ｂ2，Ａと、階段付き建物構成体Ｓ2，Ｓ12とを組合わせてなるものである。
図４（ｆ）に示す建物は、建物構成体Ｂ1，Ｂ2Ａと、階段付き建物構成体Ｓ7，Ｓ11とを組合わせてなるものである。
なお、これら以外にも収納空間と部屋空間とを効率よく配置した建物を多種類設計できるのは勿論のことである。
【００５４】
図１〜図４では、前記各種建物構成体を組合わせて建物を設計する方法および建物について、模式的に説明したが、以下では、各種建物構成体を組合わせて設計された建物について説明する。
図５は、建物の分解斜視図である。建物は、４種類の建物構成体Ｂ1，Ｂ2，Ｂ3，Ａと１種類の階段付き建物構成体Ｃ1とを備えており、これら建物構成体はそれぞれの層の上下の位置を合わせて組み合わされている。
すなわちまず、建物は２．５層分の高さを有しており、３つの建物構成体群Ｇ1，Ｇ2，Ｇ3とを備えている。
【００５５】
建物構成体群Ｇ1は、両脇に建物構成体Ｂ2，Ｂ2が配置され、これら建物構成体Ｂ2，Ｂ2間に、建物構成体Ｂ1と階段付き建物構成体Ｃ1とが配置された構成となっており、これら建物構成体はそれぞれの層の上下の位置を合わせて組み合わされている。
建物構成体群Ｇ2は、両脇に建物構成体Ｂ3，Ｂ3が配置され、これら建物構成体Ｂ3，Ｂ3間に、建物構成体Ａ，Ａが配置された構成となっており、これら建物構成体はそれぞれの層の上下の位置を合わせて組み合わされている。
建物構成体群Ｇ3は、４つの建物構成体Ａを並設した構成となっており、これら建物構成体はそれぞれの層の上下の位置を合わせて組み合わされている。
【００５６】
そして、上記のような建物構成体群Ｇ1，Ｇ2，Ｇ3は、それぞれの層の上下の位置を合わせて組み合わされており、これによって建物が構成されている。
また、上記のような建物構成体Ｂ1，Ｂ2，Ｂ3，Ａ、階段付き建物構成体Ｃ1は、それぞれを１階部分と２階部分に分けて（例えば、１階部分を第１層部と第２層部とし、２階部分を第３層部〜第５層部として分けて）、予め工場等でボックス状に製造しておき、現場で、１階部分と２階部分とを接合するようにしてもよいし、全て現場で組み立てるようにしてもよい。
そして、現場で建物構成体Ｂ1，Ｂ2，Ｂ3，Ａ、階段付き建物構成体Ｃ1を、それぞれの層の上下の位置を合わせて組み合わすことによって、建物を構築する。その場合、上述したように、建物構成体群Ｇ1〜Ｇ3を構築しておき、これらを接合することによって構築してもよいし、建物構成体Ｂ1，Ｂ2，Ｂ3，Ａ、階段付き建物構成体Ｃ1をそれぞれ接合しながら構築してもよい。
【００５７】
一方、建物構成体Ｂ1，Ｂ2，Ｂ3，Ａ、階段付き建物構成体Ｃ1を全て現場で組み立てる場合、壁パネル、床パネル、屋根パネル等の建築用パネルを現場で組み立てる、パネル工法によって行ってもよいし、柱や梁を現場で組み立てる在来の軸組工法によって行ってもよい。この場合も、建物構成体群Ｇ1〜Ｇ3を構築しておき、これらを接合することによって構築してもよいし、建物構成体Ｂ1，Ｂ2，Ｂ3，Ａ、階段付き建物構成体Ｃ1をそれぞれ接合しながら構築してもよい。
【００５８】
上記のようにして構築された建物では、１階に０．５層分の高さの収納空間Ｋ1を設けることができるとともに、２階に０．５層分の高さの収納空間Ｋ2，Ｋ3を設けることができる。また、１階には、第１層部と第２層部とに１層分の高さの部屋空間Ｒ3を設けることができる。これら部屋空間Ｒ3は、適宜壁を設けることによって、所望の大きさの部屋とすることができる。さらに、１階の収納空間Ｋ1には、１階の部屋空間Ｒ3から直接出入りできるので、収納空間Ｋ1の使い勝手がよくなる。
また、２階には、第３層部と第４層部とに１層分の高さの部屋空間Ｒ4を設けることができる。これら部屋空間Ｒ4は、適宜壁を設けることによって、所望の大きさの部屋とすることができる。さらに、２階の収納空間Ｋ２には、２階の部屋空間Ｒ4から直接出入りできるので、収納空間Ｋ２の使い勝手がよくなる。
また、１階の収納空間Ｋ1上には、第２層部と第３層部とに１層分の高さの部屋空間Ｒ1を設けることができ、その上にも、第４層部と第５層部とに１層分の高さの部屋空間Ｒ2を設けることができる。加えて、収納空間Ｋ2上には、第４層部と第５層部とに１層分の高さの部屋空間Ｒ2を設けることができる。そして、第５層部に設けられている収納空間Ｋ3の床が、第４層部と第５層部とに設けられている部屋空間Ｒ2の床より０．５層分だけ高いので、この部屋空間Ｒ2から収納空間Ｋ3に容易に物を出し入れでき、収納空間Ｋ3の使い勝手がよい。
したがって、建物の高さが高くなるのを極力抑えながら、建物に、収納空間Ｋ1，Ｋ2，Ｋ3と部屋空間Ｒ1〜Ｒ8とを効率よく配置することができる。
【００５９】
また、第２建物構成体Ｂ2、第３建物構成体Ｂ3、第４建物構成体Ａを組合わせることによって、１階と２階にそれぞれ設けられた、上下に連続する１層分の高さを有する部屋空間を水平方向に広げる、または、複数設けることができ、部屋空間に配置する各部屋のレイアウトの自由度が高まる。
また、階段付き建物構成体Ｃ1を組合わせたので、上下に隣り合う部屋空間Ｒ3，Ｒ1，Ｒ4，Ｒ2の床間に階段を設けることができる。
さらに、第４建物構成体Ａは、第１建物構成体Ｂ1、第２建物構成体Ｂ2、第３建物構成体Ｂ3より、０．５層分だけ低いので、第４建物構成体Ａ上にルーフバルコニーを設けることができる。
【００６０】
また、図６に示すように、本発明に係る建物は、第１建物構成体Ｂ１と第２建物構成体Ｂ２と第３建物構成体Ｂ３とを組み合わせて構成されている。この建物は２．５層分の高さを有しており、下から順に第１層部、第２層部、第３層部、第４層部、第５層部とされている。１層分の高さをＨとすると、第１層部〜第５層部のそれぞれの高さはＨ／２となっている。
第１建物構成体Ｂ１は、第１層部が収納空間Ｋ１となっており、第２層部と第３層部とが上下に連続した部屋空間Ｒ１となっており、第４層部と第５層部とが上下に連続した部屋空間Ｒ２となっている。
第２建物構成体Ｂ２は、第１層部と第２層部とが上下に連続した部屋空間Ｒ３となっており、第３層部が収納空間Ｋ２となっており、第４層部と第５層部とが上下に連続した部屋空間Ｒ２となっている。
第３建物構成体Ｂ３は、第１層部と第２層部とが上下に連続した部屋空間Ｒ３となっており、第３層部と第４層部とが上下に連続した部屋空間Ｒ４となっており、第５層部が収納空間Ｋ３となっている。
【００６１】
第１建物構成体Ｂ１、第２建物構成体Ｂ２、第３建物構成体Ｂ３はそれぞれ複数の建築用パネルＰ１およびＰ２によって構成されている。すなわち、第１建物構成体Ｂ１においては、第１層部が建築用パネルＰ１によって構成されており、第２層部〜第３層部と、第４層部〜第５層部とがそれぞれ建築用パネルＰ２で構成されている。第２建物構成体Ｂ２においては、第１層部〜第２層部と、第４層部〜第５層部とがそれぞれ建築用パネルＰ２で構成されており、第３層部が建築用パネルＰ１で構成されている。第３建物構成体Ｂ３においては、第１層部〜第２層部と、第３層部〜第４層部とがそれぞれ建築用パネルＰ２で構成されており、第５層部が建築用パネルＰ１で構成されている。
【００６２】
建築用パネルＰ１は高さが０．５層分、つまり０．５Ｈであり、建築用パネルＰ２は高さが１層分、つまりＨである。
また、基本モジュールをＭとすると、建築用パネルＰ１の幅は２Ｍであり、建築用パネルＰ１の幅はＭである。
ここで、モジュールとは建築のあらゆる部分を一定の大きさの倍数関係に整える際の基準となる寸法をいい、特に限定されるものではないが、本例では９１０ｍｍの寸法である。
【００６３】
そして、第１建物構成体Ｂ１、第２建物構成体Ｂ２、第３建物構成体Ｂ３はそれぞれ高さが２．５層分の高さであり、幅がそれぞれ２Ｍである。したがって、第１建物構成体Ｂ１、第２建物構成体Ｂ２、第３建物構成体Ｂ３を横方向に組み合わせてなる建物は幅が６Ｍとなっている。
【００６４】
前記建築用パネルＰ１，Ｐ２は壁パネルであり、この壁パネルは框材を矩形枠状に組み立ててなる枠体の両面にそれぞれ合板等からなる面材を貼り付けて構成され、必要に応じれ枠体の内側には補強桟材が縦横に組み付けられる。
なお、このような建築用パネルＰ１，Ｐ２から構成されている第１建物構成体Ｂ１、第２建物構成体Ｂ２、第３建物構成体Ｂ３はそれぞれ床パネルを備えており、この床パネル上に、前記壁パネルが立設される。
【００６５】
このような建物によれば、各建物構成体Ｂ１，Ｂ２，Ｂ３が、複数の建築用パネルＰ１，Ｐ２によって構成されており、建築用パネルＰ１の高さが０．５層分であり、建築用パネルＰ２の高さが１層分であり、建築用パネルＰ１の幅が基本モジュールＭの２倍であり、建築用パネルＰ２の幅が基本モジュールＭの１倍であるので、２．５層分の高さを有する建物を建築用パネルＰ１，Ｐ２によって構築でき、また、各建物をその幅を基本モジュールＭの整数倍（本建物では６倍）にして構築できる。
なお、本例では建築用パネルＰ１，Ｐ２の高さと幅を、基本モジュールＭの整数倍としたが、これに限らず、整数分の１としてもよい。
【００６６】
また、図７に示すように、本発明に係る他の建物は、複数の直方体状の建物ユニットを組み合わせることによって構成されている。この建物は２．５層分の高さを有しており、下から順に第１層部、第２層部、第３層部、第４層部、第５層部とされている。１層分の高さをＨとすると、第１層部〜第５層部のそれぞれの高さはＨ／２（０．５Ｈ）となっている。
また、この建物は２つの第１建物構成体Ｂ１と２つの第２建物構成体Ｂ２と２つの第３建物構成体Ｂ３とを組み合わせて構成されている。
【００６７】
第１建物構成体Ｂ１は、第１層部が収納空間Ｋ１となっており、第２層部と第３層部とが上下に連続した部屋空間Ｒ１となっており、第４層部と第５層部とが上下に連続した部屋空間Ｒ２となっている。
第２建物構成体Ｂ２は、第１層部と第２層部とが上下に連続した部屋空間Ｒ３となっており、第３層部が収納空間Ｋ２となっており、第４層部と第５層部とが上下に連続した部屋空間Ｒ２となっている。
第３建物構成体Ｂ３は、第１層部と第２層部とが上下に連続した部屋空間Ｒ３となっており、第３層部と第４層部とが上下に連続した部屋空間Ｒ４となっており、第５層部が収納空間Ｋ３となっている。
【００６８】
第１建物構成体Ｂ１、第２建物構成体Ｂ２、第３建物構成体Ｂ３はそれぞれ複数の建物ユニットＹ１およびＹ２によって構成されている。すなわち、第１建物構成体Ｂ１においては、第１層部が建物ユニットＹ１によって構成されており、第２層部〜第３層部と、第４層部〜第５層部とがそれぞれ建物ユニットＹ２で構成されている。第２建物構成体Ｂ２においては、第１層部〜第２層部と、第４層部〜第５層部とがそれぞれ建物ユニットＹ２で構成されており、第３層部が建物ユニットＹ１で構成されている。第３建物構成体Ｂ３においては、第１層部〜第２層部と、第３層部〜第４層部とがそれぞれ建物ユニットＹ２で構成されており、第５層部が建物ユニットＹ１で構成されている。
【００６９】
建物ユニットＹ１は高さが０．５層分、つまり０．５Ｈであり、建物ユニットＹ２は高さが１層分、つまりＨである。
また、基本モジュールをＭとすると、建物ユニットＹ１およびＹ２のそれぞれの平面視における縦の長さは２Ｍ、横の長さは３Ｍである。
そして、第１建物構成体Ｂ１、第２建物構成体Ｂ２、第３建物構成体Ｂ３はそれぞれ高さが２．５層分の高さであり、平面視における縦の長さはそれぞれ２Ｍ、横の長さは３Ｍである。したがって、２つの第１建物構成体Ｂ１、２つの第２建物構成体Ｂ２、２つの第３建物構成体Ｂ３を横方向に組み合わせてなる建物は平面視における縦の長さが４Ｍ、横の長さが９Ｍとなっている。
【００７０】
前記建物ユニットＹ１およびＹ２は、鉄骨によって構成された柱や梁を直方体状に組み立てた構造のユニットであり、ユニットＹ１およびＹ２の底部には床パネルが設けられている。
【００７１】
このような建物によれば、各建物構成体Ｂ１，Ｂ２，Ｂ３が、複数の直方体状の建物ユニットＹ１，Ｙ２によって構成されており、建物ユニットＹ１の高さが０．５層分であり、建物ユニットＹ２の高さが１層分であり、建物ユニットＹ１，Ｙ２の平面視における縦横の長さが２Ｍ×３Ｍであるので、２．５層分の高さを有する建物を建築用ユニットＹ１，Ｙ２によって構築でき、また、建物をその平面視における縦横の長さをそれぞれ基本モジュールの整数倍（本建物では縦方向が９倍、横方向が４倍）にして構築できる。
なお、本例では建物ユニットＹ１，Ｙ２の平面視において縦横の長さを、基本モジュールＭの整数倍としたが、これに限らず、整数分の１としてもよい。
【図面の簡単な説明】
【００７２】
【図１】本発明に係る建物の設計方法の説明するためのものであり、建物構成体を模式的に示す図である。
【図２】同、階段付き建物構成体を模式的に示す図である。
【図３】本発明に係る建物の設計方法の説明するための図である。
【図４】本発明によって設計された建物の例を模式的に示す図である。
【図５】本発明によって設計された建物の分解斜視図である。
【図６】発明に係る建物の例を模式的に示す図である。
【図７】本発明に係る他の建物の例を模式的に示す図である。
【符号の説明】
【００７３】
Ｂ1  第１建物構成体
Ｂ2  第２建物構成体
Ｂ3  第３建物構成体
Ａ   第４建物構成体
Ｃ1  第５建物構成体
Ｃ2  第５建物構成体
Ｃ3  第６建物構成体
Ｓ1〜Ｓ12  階段付き建物構成体
Ｋ1，Ｋ2，Ｋ3  収納空間
Ｒ1〜Ｒ６  部屋空間
Ｐ１，Ｐ２  建築用パネル
Ｙ１，Ｙ２  建物ユニット
【図１】
2006070693.tif 000003
【図２】
2006070693.tif 000004
【図３】
2006070693.tif 000005
【図４】
2006070693.tif 000006
【図５】
2006070693.tif 000007
【図６】
2006070693.tif 000008
【図７】
2006070693.tif 000009